(57)【要約】【課題】ＤＶＤライブラリ内のＤＶＤ−ＲＡＭドライブをＣＤ−ＲＯＭドライブとしてアクセスできるようにする。【解決手段】メディア参照アプリケーション１０３を使ってＤＶＤ−ＲＡＭメディア１０９〜１１３を参照する場合、アクセス方法切替プログラム１０５はアクセス管理ＤＢ１０４から参照対象のメディアのアクセス方法を取得する。メディアへのアクセス方法が、ＣＤ−ＲＯＭドライブからのアクセスである場合、アクセス方法切替プログラム１０５は、そのメディアが格納されているスロットを仮想フォルダシステムから切り離し、さらにＣＤ−ＲＯＭドライブとしてアクセスされるＤＶＤライブラリ装置内のＤＶＤ−ＲＡＭドライブを仮想フォルダシステムから切り離す。そして、ＣＤ−ＲＯＭドライブ切替プログラムは、ＤＶＤライブラリ装置内のＤＶＤ−ＲＡＭドライブ１１１をＣＤ−ＲＯＭドライブとしてアクセスできるように、エクスプローラ上にＣＤ−ＲＯＭアイコンを表示する。【選択図】  図１
2005010883.tif 000002
【特許請求の範囲】
【請求項１】
複数のメディアを収納し、かつ該メディアの情報を読取り又は記録する複数のＤＶＤ−ＲＡＭドライブを備えるＤＶＤライブラリと、このＤＶＤライブラリに接続され、該メディアをアクセスして参照するための処理を行うサーバを有するＤＶＤシステムにおいて、
ＤＶＤ−ＲＡＭドライブを介してアクセスされるメディアに対応して設定される仮想フォルダと、
該メディアへのアクセスを管理する情報を格納するアクセス管理ＤＢと、
該アクセス管理ＤＢを参照し、該仮想フォルダからのアクセスか、又はＣＤ−ＲＯＭドライブからのアクセスかを判定する手段と、
判定の結果、ＣＤ−ＲＯＭドライブからのアクセスである場合、あるＤＶＤ−ＲＡＭドライブを仮想フォルダからのアクセスから切り離す手段と、
切り離された該ＤＶＤ−ＲＡＭドライブが使用されているか否かを判定する手段と、
該ＤＶＤ−ＲＡＭドライブが使用されていない場合、アクセスすべきメディアを該ＤＶＤ−ＲＡＭドライブへ移動する手段と、を有し、
該ＤＶＤ−ＲＡＭドライブをＣＤ−ＲＯＭドライブとして用いてメディアへアクセスすることを特徴とするＤＶＤシステム。
【請求項２】
アクセス可能となっている該ＤＶＤ−ＲＡＭドライブへメディアを移動した場合、該メディアに対応する該仮想フォルダへのアクセスを禁止する手段を有することを特徴とする請求項１記載のＤＶＤシステム。
【請求項３】
アクセス管理ＤＢが格納するメディアへのアクセスを管理する情報は、メディア対応にＣＤ−ＲＯＭドライブからのアクセスか、又はＤＶＤ−ＲＡＭドライブからのアクセスかを示すフラグであることを特徴とする請求項１記載のＤＶＤシステム。
【請求項４】
該ＤＶＤ−ＲＡＭドライブの使用状況の該判定手段による判定の結果、使用可能になったＤＶＤ−ＲＡＭドライブをＣＤ−ＲＯＭのアイコンを表示装置に表示する手段を有することを特徴とする請求項１または２記載のＤＶＤシステム。
【請求項５】
複数のメディアを収納し、かつ該メディアの情報を読取り又は記録する複数のＤＶＤ−ＲＡＭドライブを備えるＤＶＤライブラリと、このＤＶＤライブラリに接続されるサーバとを有し、メディアに対応して設定された仮想フォルダから該ＤＶＤ−ＲＡＭドライブにセットされたメディアをアクセスしてメディアの情報を参照することができるＤＶＤシステムにおける、該メディアをアクセスするためのプログラムであって、
該メディアへのアクセスを管理する情報を格納するアクセス管理ＤＢを参照する手段と、
該アクセス管理ＤＢの参照の結果、該仮想フォルダからのアクセスか、又はＣＤ−ＲＯＭドライブからのアクセスかを判定する手段と、
判定の結果、ＣＤ−ＲＯＭドライブからのアクセスである場合、あるＤＶＤ−ＲＡＭドライブを仮想フォルダからのアクセスから切り離す手段と、
切り離された該ＤＶＤ−ＲＡＭドライブが使用されているか否かを判定する手段と、
該ＤＶＤ−ＲＡＭドライブが使用されていない場合、該ＤＶＤ−ＲＡＭドライブにセットされたＲＯＭメディアにアクセスする手段と、
使用可能になったＤＶＤ−ＲＡＭドライブに対してＣＤ−ＲＯＭのアイコンを表示装置に表示する手段と、
を有することを特徴とするＤＶＤシステムにおけるメディアをアクセスするためのコンピュータ上で動作可能なプログラム。
【請求項６】
ＤＶＤ−ＲＡＭドライブにセットされたＤＶＤ−ＲＡＭメディアまたはＲＯＭメディアをアクセスするためのシステムであって、
ＤＶＤ−ＲＡＭドライブを介してアクセスされるメディアに対応して設定される仮想フォルダと、
該ＤＶＤ−ＲＡＭドライブにセットされたメディアへのアクセスが、該仮想フォルダからのアクセスか、又はＣＤ−ＲＯＭドライブからのアクセスかを判定する手段と、
判定の結果、ＣＤ−ＲＯＭドライブからのアクセスである場合、該ＤＶＤ−ＲＡＭドライブを仮想フォルダからのアクセスから切り離す手段と、
ＣＤ−ＲＯＭドライブとして用いられる該ＤＶＤ−ＲＡＭドライブにセットされたＲＯＭメディアを、参照アプリケーションを用いて参照する手段と、
該ＤＶＤ−ＲＡＭドライブに対してＣＤ−ＲＯＭのアイコンを表示する手段と、
を有することを特徴とするメディアのアクセスシステム。
【発明の詳細な説明】
【０００１】
【発明の属する技術分野】
本発明はＤＶＤシステムに係り、特にＤＶＤライブラリを有するシステムにおいてメディアへアクセスするためのインタフェース（以下Ｉ／Ｆと言う）技術に関する。
【０００２】
【従来の技術】
一般に、複数のメディアが収納されるＤＶＤライブラリのあるメディアへアクセスする場合、ＤＶＤライブラリ装置を１つのドライブとする仮想ドライブ、およびメディア１枚を１つのフォルダとしてアクセスするＩ／Ｆを持った仮想フォルダを標準のＩ／Ｆとして扱う方式が採用されている。ＤＶＤライブラリ内のメディアへアクセスするためのＩ／Ｆには、ＨＤＤ（ハードディスク装置）へアクセスするＩ／Ｆと同じものを用いて、エクスプローラからメディア内のファイルへアクセスすることが可能である。
また、ＤＶＤライブラリにはＤＶＤ−ＲＡＭメディア以外に、ＣＤ−ＲＯＭ，ＤＶＤ−ＲＯＭ，ＤＶＤ−ＶｉｄｅｏのようなＲＯＭメディアを収納することが可能であり、ＲＯＭメディア内のファイルへは、仮想フォルダからアクセスすることが可能である。
【０００３】
一方、ＲＯＭメディアでは、メディア内を参照するためのアプリケーションによって、そのＲＯＭメディアがＣＤ−ＲＯＭドライブに格納されていることを前提としている場合がある。この場合、メディア内を参照するためのアプリケーションは仮想フォルダからメディアをアクセスすることができない。
【０００４】
例えば、特開２０００−２６８４７７号公報（特許文献１）には、オートチェンジャシステムにおいて情報記録媒体の交換を行う場合に、情報記録媒体に記録した情報の内容を最適なフォーマットで管理する方式について開示されている。しかし、この方式は管理ＤＢによって情報記録媒体のフォーマットを管理するが、アクセス方式を管理していないため、情報記録媒体へのアクセスのアプリケーションによっては、情報記録媒体にアクセスできない場合が発生する。
【０００５】
【特許文献１】
特開２０００−２６８４７７号公報
【０００６】
【発明が解決しようとする課題】
上述のようにＲＯＭメディアを参照するためのアプリケーションが、そのＲＯＭメディアがＣＤ−ＲＯＭドライブに収納されていることを前提とする場合、仮想フォルダ形式でのアクセスＩ／Ｆを提供するだけでは、サポートできないＲＯＭメディアが存在するという問題がある。
【０００７】
本発明の目的は、ＤＶＤライブラリ内のＤＶＤ−ＲＡＭドライブをＣＤ−ＲＯＭドライブとしてアクセスできるようにすることにある。
【０００８】
【課題を解決するための手段】
本発明は、複数のメディアを収納し、かつメディアの情報を読取り又は記録する複数のＤＶＤ−ＲＡＭドライブを備えるＤＶＤライブラリと、このＤＶＤライブラリに接続され、メディアをアクセスして参照するための処理を行うサーバを有するＤＶＤシステムにおいて、ＤＶＤ−ＲＡＭドライブを介してアクセスされるメディアに対応して設定される仮想フォルダと、メディアへのアクセスを管理する情報を格納するアクセス管理ＤＢと、アクセス管理ＤＢを参照し、仮想フォルダからのアクセスか、又はＣＤ−ＲＯＭドライブからのアクセスかを判定する手段と、判定の結果、ＣＤ−ＲＯＭドライブからのアクセスである場合、あるＤＶＤ−ＲＡＭドライブを仮想フォルダからのアクセスから切り離す手段と、切り離された該ＤＶＤ−ＲＡＭドライブが使用されているか否かを判定する手段と、ＤＶＤ−ＲＡＭドライブが使用されていない場合、アクセスすべきメディアを該ＤＶＤ−ＲＡＭドライブへ移動する手段と、を有し、ＤＶＤ−ＲＡＭドライブをＣＤ−ＲＯＭドライブとして用いてメディアへアクセスするように構成したものである。
アクセス可能となっているＤＶＤ−ＲＡＭドライブへメディアを移動した場合、メディアに対応する仮想フォルダへのアクセスは禁止される。
好ましい例において、上記アクセス管理ＤＢが格納するメディアへのアクセスを管理する情報は、メディア対応にＣＤ−ＲＯＭドライブからのアクセスか、又はＤＶＤ−ＲＡＭドライブからのアクセスかを示すフラグである。
また、ＤＶＤ−ＲＡＭドライブの使用状況の該判定手段による判定の結果、使用可能になったＤＶＤ−ＲＡＭドライブをＣＤ−ＲＯＭのアイコンを表示装置に表示する手段を有する。
【０００９】
更に、本発明はＤＶＤシステムにおけるメディアをアクセスするためのコンピュータ上で動作可能なプログラムとして把握される。
即ち、複数のメディアを収納し、かつメディアの情報を読取り又は記録する複数のＤＶＤ−ＲＡＭドライブを備えるＤＶＤライブラリと、このＤＶＤライブラリに接続されるサーバとを有し、メディアに対応して設定された仮想フォルダからＤＶＤ−ＲＡＭドライブにセットされたメディアをアクセスしてメディアの情報を参照することができるＤＶＤシステムにおける、メディアをアクセスするためのプログラムであって、メディアへのアクセスを管理する情報を格納するアクセス管理ＤＢを参照する手段と、アクセス管理ＤＢの参照の結果、仮想フォルダからのアクセスか、又はＣＤ−ＲＯＭドライブからのアクセスかを判定する手段と、判定の結果、ＣＤ−ＲＯＭドライブからのアクセスである場合、あるＤＶＤ−ＲＡＭドライブを仮想フォルダからのアクセスから切り離す手段と、切り離された該ＤＶＤ−ＲＡＭドライブが使用されているか否かを判定する手段と、ＤＶＤ−ＲＡＭドライブが使用されていない場合、ＤＶＤ−ＲＡＭドライブにセットされたＲＯＭメディアにアクセスする手段と、使用可能になったＤＶＤ−ＲＡＭドライブに対してＣＤ−ＲＯＭのアイコンを表示装置に表示する手段とを有するプログラムである。
【００１０】
更に、本発明はＤＶＤ−ＲＡＭドライブにセットされたＲＯＭメディアをアクセスするために仮想フォルダを変更するシステムとして把握される。
即ち、ＤＶＤ−ＲＡＭドライブにセットされたＤＶＤ−ＲＡＭメディアまたはＲＯＭメディアをアクセスするためのシステムであって、ＤＶＤ−ＲＡＭドライブを介してアクセスされるメディアに対応して設定される仮想フォルダと、ＤＶＤ−ＲＡＭドライブにセットされたメディアへのアクセスが、仮想フォルダからのアクセスか、又はＣＤ−ＲＯＭドライブからのアクセスかを判定する手段と、判定の結果、ＣＤ−ＲＯＭドライブからのアクセスである場合、ＤＶＤ−ＲＡＭドライブを仮想フォルダからのアクセスから切り離す手段と、ＣＤ−ＲＯＭドライブとして用いられるこのＤＶＤ−ＲＡＭドライブにセットされたＲＯＭメディアを、参照アプリケーションを用いて参照する手段と、ＤＶＤ−ＲＡＭドライブに対してＣＤ−ＲＯＭのアイコンを表示する手段とを有するように構成される。
【００１１】
【発明の実施の形態】
以下、本発明のー実施例を、図面を参照しながら説明する。
【００１２】
図１は、本発明の一実施例によるＤＶＤライブラリシステムの構成を示す図である。
図示されるＤＶＤライブラリシステムは、サーバ１と、それに接続されたＤＶＤライブラリ１４を有して構成される。サーバ１は、例えばパーソナルコンピュータのようなものであり、ＣＰＵなどの処理装置１０１、メモリ１０２、ＨＤＤ１０７を備える本体部１１と、キーボード又はマウスのような入力装置１２と、表示装置１３から構成される。
【００１３】
本体部１１において、メモリ１０２は、実行される種々のプログラム及びデータを一時的に格納する。
ＨＤＤ１０７には、処理装置１０１で実行される複数のプログラム、及びメディアのアクセス方法を管理するアクセス管理データベース（管理ＤＢと言う）１０４が格納される。これらのプログラムには、サーバ１０１上で動作するメディア参照アプリケーション１０３、管理ＤＢを参照して各メディアのアクセス方法を切り替えるアクセス方法切替プログラム１０５、ＤＶＤライブラリ装置内のＤＶＤ−ＲＡＭドライブをＣＤ−ＲＯＭドライブとしてアクセス可能とするための切替プログラム１０６がある。
【００１４】
ＤＶＤライブラリ１４には、メディア参照アプリケーション１０３によって参照される複数のＤＶＤ−ＲＡＭメディア１０９〜１１３が収納される。また、メディア１０９〜１１３に格納された情報を読み又は記録するために、２台のＤＶＤ−ＲＡＭドライブ１１４，１１５を備える。
【００１５】
図２は、仮想フォルダのシステムの構成を示す図である。図示は、表示装置１３に表示され仮想フォルダシステムの様子を示す。
ＤＶＤライブラリ１４には２台のＤＶＤ−ＲＡＭドライブ１１４，１１５が備えられており、メディアへのアクセス方法としては仮想フォルダ形式の標準インタフェースが使用される。メディア１枚ずつを１つのフォルダ、例えば、「Ｚ：￥００１〜￥００５」のように定義して、これらのフォルダにアクセスできるようにしている。従来は、メディア例えばＤＶＤ−ＶｉｄｅｏのようなメディアではＣＤ−ＲＯＭアイコンからしかアクセスできず、仮想フォルダからアクセスするとエラーとなっていた。そのためビデオの再生ができなかった。
【００１６】
本発明の実施例によれば、ＤＶＤライブラリ１４に備えられた複数のＤＶＤ−ＲＡＭドライブ１１４、１１５の内、一方のドライブをＣＤ−ＲＯＭドライブＩ／Ｆとして使用し、仮想フォルダで使用するドライブから切り離し、そのドライブを仮想フォルダでは使用できないように設定する。図示の例では、ドライブ１（＃１１４）側をＣＤ−ＲＯＭドライブＩ／Ｆで使用する。一方のドライブ２（＃１１５）側はそのまま仮想フォルダとして使用する。
【００１７】
このような構成において、処理装置１０１はプログラムを実行して、ＤＶＤライブラリ１４内のメディアへアクセスして、対象とするメディアから情報を読み出し、表示装置１３に表示する。
ＤＶＤ−ＲＡＭメディア１０９〜１１３はメディア参照アプリケーション１０３を利用することにより参照できる。そのためにユーザは入力装置１２を操作して、メディア参照アプリケーション１０３を実行させるが、その際にアクセス方法切替プログラム１０５が実行される。アクセス方法切替プログラム１０５は、メディアのアクセス方法をアクセス管理ＤＢ１０４から取得する。メディアへのアクセス方法がＣＤ−ＲＯＭドライブからのアクセスである場合、アクセス方法切替プログラム１０５は、メディアの収納されているスロットを仮想フォルダからアクセスされないように仮想フォルダシステムから切り離す。さらにアクセス方法切替プログラム１０５は、ＣＤ−ＲＯＭドライブとしてアクセスされるＤＶＤライブラリ内のＤＶＤ−ＲＡＭドライブ１１４を、仮想フォルダシステムから切り離す。次にＣＤ−ＲＯＭドライブ切替プログラム１０５が、ＤＶＤライブラリ内のＤＶＤ−ＲＡＭドライブ１１４を、ＣＤ−ＲＯＭドライブとしてアクセスできるように、エクスプローラ上にＣＤ−ＲＯＭアイコンを表示する（図２，（Ａ）参照）。
【００１８】
図３はメディアへのアクセス方法を管理するための管理ＤＢ１０４のフォーマットを示す。
複数のメディアにはそれぞれ固有の情報が格納されている。それらのメディアを管理するための情報がアクセス管理テーブル３００のフォーマットに格納される。即ち、タイトルＩＤ３０、タイトル名３０２、カタログＩＤ３０３，ボリュームＮｏ３０４、パス３０５、メディアタイプ３０６、著者ＩＤ３０７，発行者ＩＤ３０８，リリース３０９、キーワード３１０、アイテム１−３ＩＤ３１１〜３１３、及びアクセスフラグ３１４が格納される。
ここで、パス情報３０５は、仮想フォルダＩ／Ｆ上でのメディアの格納位置情報を示す。即ちメディア格納場所を示す仮想フォルダ名、Ｚ：￥００１〜Ｚ：￥００３が表示される。アクセスフラグ３１４はメディア対応にアクセス方法を示す。例えば「０」はＣＤ−ＲＯＭドライブへのアクセスを示し、「１」は仮想フォルダへのアクセス（即ちＤＶＤ−ＲＡＭ）を示す。
【００１９】
図４は、ＤＶＤライブラリのメディアへのアクセスの動作を示すフローチャート図である。例えば、メディア参照アプリケーションによりスロットＮｏ．１に格納されたメディアを参照するものとする。
メディアへのアクセスが開始されると（２０１）、スロットＮｏ．１の参照要求を出す。スロットＮｏ．１に格納されたメディアを参照（２０２）する場合、まずサーバ上にあるアクセス管理ＤＢ１０４を参照し（２０３）、そこに格納されたアクセスフラグ３１４の内容を判定する（２０４）。アクセスフラグ３１４の判定の結果、もしアクセス対象のメディアがＣＤ−ＲＯＭドライブからアクセスする必要がある場合には、スロットＮｏ．１を仮想フォルダシステムから切り離す（２０５）。続いてドライブ１を仮想フォルダシステムから切り離す（２０７）。
【００２０】
そして、ドライブ１の使用状態を判定し（２０９）、仮想フォルダまたはＣＤ−ＲＯＭドライブとして使用中の場合は、エラーとし、表示装置１３に「使用中エラー」を表示する（２１０）。一方、ドライブ１が未使用の場合には、スロットＮｏ．１からドライブ１へメディアを移動する（２０９）。次にＣＤ−ＲＯＭドライブからアクセス可能とするために、ＣＤ−ＲＯＭアイコンを表示する（２１１）。ＣＤ−ＲＯＭドライブ経由でメディアへアクセスする（２１２）。
尚、上記アクセスフラグ３１４の判定の結果、アクセスするメディアが仮想フォルダ経由でアクセスする必要がある場合は、仮想フォルダ「Ｚ：￥００１」へアクセスする（２０６）。
全ての処理が終わるとメディアへのアクセス処理が完了となる（２１３）。
【００２１】
本実施例によれば、ＤＶＤライブラリ内のＤＶＤ−ＲＡＭドライブを動的にＣＤ−ＲＯＭドライブとしてアクセスできる。これにより例えば、複数のＤＶＤ−ＲＡＭメディアにバックアップデータが格納されている場合に、ＤＶＤ−ＲＡＭメディアを替えることなくＤＶＤ−ＲＡＭメディアに格納されたカタログ情報等を参照することができる。
【００２２】
【発明の効果】
本発明によれば、ＤＶＤライブラリ内のＤＶＤ−ＲＡＭドライブをＣＤ−ＲＯＭドライブとして用いてアクセスすることができる。そのため、ＲＯＭメディアがＣＤ−ＲＯＭドライブに収納されていることを前提としたアプリケーションからのアクセスが可能となる。
【図面の簡単な説明】
【図１】図１は、本発明の一実施例によるＤＶＤライブラリシステムの構成を示す図である。
【図２】図２は、仮想フォルダのシステムの構成を示す図である。
【図３】図３は、一実施例におけるメディアアクセス方法を管理する管理ＤＢのフォーマットを示す図である。
【図４】図４は、一実施例におけるＤＶＤライブラリのメディアへのアクセスの動作を示すフローチャート図である。
【符号の説明】
１  サーバ          １１  本体部
１２  入力装置        １３  表示装置
１０１  処理装置    １０２  メモリ
１０３  メディア参照アプリケーション
１０４  アクセス管理ＤＢ              １０５  アクセス方法切替プログラム
１０６  ＣＤ−ＲＯＭドライブ切替プログラム    １０７  ＨＤＤ
１０８  ＤＶＤライブラリ                    １０９〜１１３  ＤＶＤ−ＲＡＭメディア
１１４〜１１５  ＤＶＤ−ＲＡＭドライブ
３０１  アクセス管理テーブル      ３０５  パス情報
３０２  アクセスフラグ。
【図１】
2005010883.tif 000003
【図２】
2005010883.tif 000004
【図３】
2005010883.tif 000005
【図４】
2005010883.tif 000006